【手続補正書】
【提出日】平成30年3月8日(2018.3.8)
【手続補正１】
【補正対象書類名】特許請求の範囲
【補正対象項目名】全文
【補正方法】変更
【補正の内容】
【特許請求の範囲】
【請求項１】
流体（２）を収容する取替可能な容器（３）と、
前記容器（３）を用いて実施されたか又は依然として可能な使用回数を計数する及び／又は示すための表示デバイス（２５）と、
を含み、
前記表示デバイス（２５）が、ハウジング（３１）を含む、
流体（２）のためのネブライザ（１）であって、
前記表示デバイス（２５）は、前記容器（３）を用いた予め決められた使用回数が到達されたか又は超過された時に該表示デバイス（２５）のロック状態で該容器（３）の更なる使用を防止するための阻止部分を含み、
前記阻止部分は、前記ハウジング（３１）に一体化され、及び／又は該ハウジング（３１）の一部を形成し、又は該ハウジング（３１）の内側に配置される、
ことを特徴とするネブライザ（１）。
【請求項２】
前記阻止部分は、前記容器（３）又はネブライザ（１）の長手方向又は小出し方向と平行に移動可能であることを特徴とする請求項１に記載のネブライザ（１）。
【請求項３】
ネブライザが、前記容器（３）を受け入れるためのネブライザハウジング（２４）を含み、
前記ロック状態において、前記阻止部分は、この容器（３）を用いた予め決められた使用回数が到達されたか又は超過された時に、閉じたネブライザハウジング（２４）内の該容器（３）の完全軸線方向又は行程状可動性を阻止する、
ことを特徴とする請求項１又は請求項２に記載のネブライザ（１）。
【請求項４】
ネブライザが、前記容器（３）を受け入れるためのネブライザハウジング（２４）と該容器（３）を取り替えるためにネブライザ（１）から取り外すか又は開くことができるハウジング部分（１８）とを含み、
前記ロック状態において、前記表示デバイス（２５）又は前記阻止部分は、この容器（３）を用いた予め決められた使用回数が到達されたか又は超過された時に、ロック状態で前記ネブライザハウジング（２４）及び／又はハウジング部分（１８）の少なくとも部分的な開放を引き起こすことができる、
ことを特徴とする請求項１から請求項３のいずれか１項に記載のネブライザ（１）。
【請求項５】
ネブライザ（１）が、前記ネブライザハウジング（２４）又はハウジング部分（１８）が少なくとも部分的に開かれた場合に更なる使用又は引張を阻止するようになっていることを特徴とする請求項４に記載のネブライザ。
【請求項６】
前記表示デバイス（２５）は、表示要素（３５）を含み、これは、前記阻止部分が前記ハウジング（３１）内の初期位置からロッキング位置まで移動されるように前記阻止部分を起動することを特徴とする請求項１から請求項５のいずれか１項に記載のネブライザ。
【請求項７】
前記表示デバイス（２５）は、前記ロッキング位置から前記初期位置への前記阻止部分の戻り移動を防止する阻止バネ（４３）を含むことを特徴とする請求項６に記載のネブライザ。
【請求項８】
前記表示デバイス（２５）は、該表示デバイス（２５）のロック状態に入った時、及び／又は前記容器（３）を用いたネブライザ（１）の予め決められた使用回数が到達されたか又は超過された時、及び／又は該容器（３）が空である時に、可視又はより可視になり、及び／又は該表示デバイス（２５）の該ロック状態を示す、信号要素（３４）又はフラグを含むことを特徴とする請求項１から請求項７のいずれか１項に記載のネブライザ。
【請求項９】
前記表示デバイス（２５）は、前記信号要素（３４）又はフラグが可視又はより可視になるように、及び／又は該表示デバイス（２５）のロック状態が入った時、及び／又は前記容器（３）を用いたネブライザ（１）の予め決められた使用回数が到達されたか又は超過された時、及び／又は該容器（３）が空である時を示すように該信号要素（３４）又はフラグを起動する表示要素（３５）を含むことを特徴とする請求項８に記載のネブライザ。
【請求項１０】
起動された時に、前記信号要素（３４）又はフラグは、前記表示デバイス（２５）のハウジング（３１）内の第１の位置から該信号要素（３４）又はフラグが該表示器ハウジング（３１）から少なくとも部分的に延びる第２の位置まで移動されることを特徴とする請求項８又は請求項９に記載のネブライザ。
【請求項１１】
前記阻止部分は、前記信号要素（３４）を形成するか又はそれによって形成されることを特徴とする請求項８から請求項１０のいずれか１項に記載のネブライザ。
【請求項１２】
ネブライザ（１）が、前記表示デバイス（２５）の起動のための駆動部分（５２）を含み、
前記ロッキング部分は、前記表示デバイス（２５）内の計数機構の前記計数及び／又は前記起動を無効にし、及び／又は前記ロック状態で該表示デバイス（２５）との前記駆動部分（５２）の相互作用を無効にする、
ことを特徴とする請求項１から請求項１１のいずれか１項に記載のネブライザ。
【請求項１３】
前記表示デバイス（２５）は、ネブライザ（１）の好ましくは静止駆動部分（５２）の挿入、及び／又は該表示デバイス（２５）のアンロック状態で該表示デバイス（２５）の起動要素（３６）との前記駆動部分（５２）の相互作用を可能にする挿入開口部（５４）を含むことを特徴とする請求項１から請求項１２のいずれか１項に記載のネブライザ。
【請求項１４】
ネブライザ（１）が、好ましくは前記ネブライザハウジング（２４）又は駆動部分（２５）への容器（３）又は表示デバイス（２５）の相対移動により、該表示デバイス（２５）を駆動又は起動又はトリガするための及び／又は該容器（３）を開口又は穿孔するための好ましくは静止駆動部分（５２）を含むことを特徴とする請求項１から請求項１３のいずれか１項に記載のネブライザ。
【請求項１５】
前記表示デバイス（２５）は、前記容器（３）と分離不能に接続されるが、それが該容器（３）と共に取替可能であるように前記ネブライザハウジング（２４）及びハウジング部分（１８）からは分離可能であることを特徴とする請求項１から請求項１４のいずれか１項に記載のネブライザ。
【請求項１６】
前記表示デバイス（２５）は、前記容器（３）のベース（２１）に及び／又は該容器（３）の出口又はヘッド（２８）の反対側に固定的に配置され、及び／又は
前記表示デバイス（２５）は、スナップ結合又は形状適合した結合によって前記容器（３）と接続される、
ことを特徴とする請求項１から請求項１５のいずれか１項に記載のネブライザ。
【請求項１７】
前記表示デバイス（２５）は、前記容器（３）の曝気を開くための穿孔部分（４８）を含むことを特徴とする請求項１から請求項１６のいずれか１項に記載のネブライザ。
【請求項１８】
前記穿孔部分（４８）は、軸線方向に移動可能であり、及び／又は起動されない場合に前記表示デバイス（２５）のハウジング（３１）の内側に位置付けられ、又はそこに付勢されることを特徴とする請求項１７に記載のネブライザ。
【請求項１９】
ネブライザ（１）のための容器（３）であって、
容器（３）が、流体（２）を収容し、
容器（３）が、容器（３）を用いて実施されたか又は依然として可能な使用回数を計数する及び／又は示すための表示デバイス（２５）を含み、
前記表示デバイス（２５）が、ハウジング（３１）を含み、
前記表示デバイス（２５）は、容器（３）を用いた予め決められた使用回数が到達されたか又は超過された時に該表示デバイス（２５）のロック状態で容器（３）の更なる使用を防止するための阻止部分を含み、
前記阻止部分は、前記ハウジング（３１）に一体化され、及び／又は該ハウジング（３１）の一部を形成し、又は該ハウジング（３１）の内側に配置される、
ことを特徴とする容器（３）。
【請求項２０】
前記阻止部分は、容器（３）の長手方向又は小出し方向と平行に移動可能であることを特徴とする請求項１９に記載の容器。
【請求項２１】
前記阻止部分は、信号要素（３４）を形成するか又は信号要素（３４）によって形成され、前記表示デバイス（２５）の前記ロック状態が入った時、及び／又は容器（３）を用いた前記ネブライザ（１）の前記予め決められた使用回数が到達されたか又は超過された時、及び／又は容器（３）が空である時に、該信号要素は、該表示デバイス（２５）のハウジング（３１）内の第１の位置から、該信号要素（３４）が該表示器ハウジング（３１）から部分的に延びるか又は該信号要素（３４）が可視であるか又は該第１の位置におけるよりもより可視である第２の位置まで移動されることを特徴とする請求項１９又は請求項２０に記載の容器。
【請求項２２】
前記表示デバイス（２５）は、容器（３）の曝気を開くための穿孔部分（４８）を含むことを特徴とする請求項１９から請求項２１のいずれか１項に記載の容器。
【請求項２３】
前記表示デバイス（２５）は、容器（３）のベース（２１）に、及び／又は容器（３）の出口又はヘッド（２８）の反対側に、固定的に配置されることを特徴とする請求項１９から請求項２２のいずれか１項に記載の容器。
【請求項２４】
前記表示デバイス（２５）は、スナップ結合又は形状適合結合によって容器（３）と接続されることを特徴とする請求項１９から請求項２３のいずれか１項に記載の容器。
【請求項２５】
前記表示デバイス（２５）は、表示要素（３５）を含み、
前記表示要素（３５）は、容器（３）を用いた予め決められた使用回数が到達されたか又は超過された時に、前記阻止部分が前記ハウジング（３１）内の初期位置からロッキング位置まで移動されるように、前記阻止部分を起動する、
ことを特徴とする請求項１９から請求項２４のいずれか１項に記載の容器。
【請求項２６】
前記表示デバイス（２５）は、前記ロッキング位置から前記初期位置への前記阻止部分の戻り移動を防止する阻止バネ（４３）を含むことを特徴とする請求項２５に記載の容器。
【請求項２７】
前記阻止部分は、前記表示デバイス（２５）内の計数機構を無効にし、及び／又は該表示デバイス（２５）の前記ロック状態で該表示デバイス（２５）の起動要素（３６）との前記ネブライザ（１）の駆動部分（５２）の相互作用を防止することを特徴とする請求項１９から請求項２６のいずれか１項に記載の容器。
【請求項２８】
ネブライザ（１）のための容器（３）であって、
容器（３）が、流体（２）を収容し、
容器（３）が、容器（３）を用いて実施されたか又は依然として可能な使用回数を計数する及び／又は示すための表示デバイス（２５）を含み、
前記表示デバイス（２５）は、容器（３）に取り付けられ、
前記表示デバイス（２５）は、前記ネブライザ（１）を用いた容器（３）の予め決められた使用回数が到達されたか又は超過された時、及び／又は容器（３）が空である時に可視又はより可視になり、及び／又は該予め決められた使用回数が到達されたか又は超過されたことを示す信号要素（３４）又はフラグを含む、
ことを特徴とする容器（３）。
【請求項２９】
前記表示デバイス（２５）は、前記信号要素（３４）又はフラグを該信号要素（３４）又はフラグが可視又はより可視になり、及び／又は容器（３）を用いた前記ネブライザ（１）の前記予め決められた使用回数が到達されたか又は超過された時及び／又は容器（３）が空である時を示すように起動する表示要素（３５）を含むことを特徴とする請求項２８に記載の容器。
【請求項３０】
前記表示デバイス（２５）は、ハウジング（３１）を含み、
起動された時に、前記信号要素（３４）又はフラグは、前記表示デバイス（２５）の前記ハウジング（３１）内の第１の位置から該信号要素（３４）又はフラグが該表示器ハウジング（３１）から少なくとも部分的に延びる第２の位置まで移動される、
ことを特徴とする請求項２８又は請求項２９に記載の容器。
【請求項３１】
前記表示デバイス（２５）は、前記第２の位置から前記第１の位置への前記信号要素（３４）又はフラグの戻り移動を防止する阻止バネ（４３）を含むことを特徴とする請求項３０に記載の容器。